(57)【要約】【課題】複数の発光部の発光強度を制御するために必要な構成を小型化する。【解決手段】相互に直列に接続され、相異なる波長域の光を出射する複数の発光部を含む光源部と、前記複数の発光部のうち特定の発光部が出射する光の一部を抽出する抽出部と、前記前記抽出部が抽出した光を受光する受光部と、前記受光部が受光した光の受光強度に応じて、前記光源部に供給される電流を制御する給電部とを具備する照明装置。【選択図】図４
2018198169.tif 000002
【特許請求の範囲】
【請求項１】
相互に直列に接続され、相異なる波長域の光を出射する複数の発光部を含む光源部と、
前記複数の発光部のうち特定の発光部が出射する光の一部を抽出する抽出部と、
前記抽出部が抽出した光を受光する受光部と、
前記受光部が受光した光の受光強度に応じて、前記光源部に供給される電流を制御する給電部と
を具備する照明装置。
【請求項２】
前記光源部は、近赤外光を出射する
請求項１の照明装置。
【請求項３】
前記複数の発光部のうち前記特定の発光部の発光強度が最大である
請求項１または請求項２の照明装置。
【請求項４】
前記抽出部は、前記特定の発光部が出射した光のうち前記抽出部が抽出した光以外の光の強度が他の発光部の発光強度に近づくように、前記特定の発光部が出射した光の一部を抽出する
請求項１から請求項３の何れかの照明装置。
【請求項５】
前記特定の発光部の波長域は、前記複数の発光部がそれぞれ出射する光の複数の波長域のうち、最も短波長側に位置する
請求項１から請求項４の何れかの照明装置。
【請求項６】
請求項１から請求項５の何れかの照明装置と、
前記照明装置から出射して照射対象を通過した光の受光強度に応じた検出信号を生成する受光装置と、
前記検出信号から生体情報を特定する特定部と
を具備する生体情報測定装置。
【請求項７】
相互に直列に接続され、相異なる波長域の光を出射する複数の発光部を含む光源部を制御する制御方法であって、
前記複数の発光部のうち特定の発光部が出射する光の一部を抽出し、
前記抽出した光を受光し、
前記受光した光の受光強度に応じて、前記光源部に供給される電流を制御する
制御方法。
【発明の詳細な説明】
【技術分野】
【０００１】
本発明は、光源を制御する技術に関する。
【背景技術】
【０００２】
特許文献１には、液晶ディスプレイの導光板照明として利用される発光装置が開示されている。発光装置は、相互に直列に接続された複数のＬＥＤ（light-emitting diode）を具備する。
【先行技術文献】
【特許文献】
【０００３】
【特許文献１】特開２０１５−１０６６６０号公報
【発明の概要】
【発明が解決しようとする課題】
【０００４】
ここで、複数のＬＥＤからの出射光の強度を安定させるため、各ＬＥＤからの出射光を受光素子で受光し、各受光素子の受光量に応じた電流を複数のＬＥＤに供給する構成が想定される。しかし、ＬＥＤ毎に受光素子を設けると、装置が複雑化するという問題がある。以上の事情を考慮して、本発明は、複数の発光部から出射される光の強度（以下「発光強度」という）を制御するために必要な構成を小型化することを目的とする。
【課題を解決するための手段】
【０００５】
以上の課題を解決するために、本発明の好適な態様に係る照明装置は、相互に直列に接続され、相異なる波長域の光を出射する複数の発光部を含む光源部と、複数の発光部のうち特定の発光部が出射する光の一部を抽出する抽出部と、抽出部が抽出した光を受光する受光部と、受光部が受光した光の受光強度に応じて、光源部に供給される電流を制御する給電部とを具備する。以上の構成では、相互に直列に接続され、相異なる波長域の光を出射する複数の発光部を含む光源部からの出射光のうち、特定の発光部が出射した光の一部を抽出し、当該抽出した光を受光した受光部の受光強度に応じて光源部に供給される電流が制御される。したがって、発光部の出射光の一部を抽出および受光する要素を発光部毎に個別に設けて、各受光部が受光した光の受光強度に応じて光源部に供給される電流を制御する構成と比較して、複数の発光部の発光強度を制御するために必要な構成を小型化することが可能である。
【０００６】
本発明の好適な態様において、光源部は、近赤外光を出射する。以上の構成では、光源部が近赤外光を出射する。したがって、光源部からの出射光が生体組織を通過するから、生体情報の測定に好適である。
【０００７】
本発明の好適な態様において、複数の発光部のうち特定の発光部の発光強度が最大である。以上の構成では、複数の発光部のうち特定の発光部の発光強度が最大である。したがって、例えば複数の発光部のうち特定の発光部の発光強度が最小の構成と比較して、特定の発光部が出射した光のうち受光部が受光した光以外の光の強度と他の複数の発光部の発光強度との差分を小さくすることが可能である。
【０００８】
本発明の好適な態様において、抽出部は、特定の発光部が出射した光のうち抽出部が抽出した光以外の光の強度が他の発光部の発光強度に近づくように、特定の発光部が出射した光の一部を抽出する。以上の構成では、特定の発光部が出射した光のうち受光部が受光した光以外の光の強度が他の発光部の発光強度に近づくように、特定の発光部が出射した光の一部が抽出される。したがって、光源部が出射する光のうち、抽出部により抽出される光以外の光の強度が均一になる。
【０００９】
本発明の好適な態様において、特定の発光部の波長域は、複数の発光部がそれぞれ出射する光の複数の波長域のうち、最も短波長側に位置する。以上の構成では、特定の発光部の波長域は、複数の発光部がそれぞれ出射する光の複数の波長域のうち、最も短波長側に位置する。したがって、受光感度が短波長側にある受光部を使用することができるという利点がある。また、本発明は、以上に説明した各態様に係る照明装置の光源部を制御する方法（制御方法）としても特定される。
【００１０】
本発明の好適な態様に係る生体情報測定装置は、前述の何れかの態様に係る照明装置と、照明装置から出射して照射対象を通過した光の受光強度に応じた検出信号を生成する受光装置と、検出信号から生体情報を特定する特定部とを具備する。前述の各態様に係る照明装置では、複数の発光部の発光強度を制御するために必要な構成を小型化することが可能である。ひいては、本発明の好適な態様に係る生体情報測定装置においても小型化が可能になる。
【図面の簡単な説明】
【００１１】
【図１】本発明の実施形態に係る生体情報測定装置の構成図である。
【図２】照明装置のブロック図である。
【図３】光源部の分光特性を示す説明図である。
【図４】照明装置の回路図である。
【図５】実施形態および対比例の各々における発光強度と経過時間との関係を示すグラフである。
【図６】変形例に係る照明装置のブロック図である。
【発明を実施するための形態】
【００１２】
図１は、本発明の実施形態に係る生体情報測定装置１００の構成図である。本実施形態の生体情報測定装置１００は、利用者の生体情報を非侵襲的に測定する生体計測器である。例えば、利用者の血糖値（血中グルコース濃度），ヘモグロビン濃度，血中酸素濃度，中性脂肪濃度等の各種の血液成分濃度が生体情報の好適例である。本実施形態では、血糖値を生体情報として測定する。
【００１３】
図１に例示される通り、本実施形態の生体情報測定装置１００は、光学検出装置１１と情報処理装置１３とを具備する。光学検出装置１１は、利用者の身体のうち測定対象となる部位（以下「測定部位」という）Ｍの状態に応じた検出信号Ｚを生成する光学センサーモジュールである。情報処理装置１３は、光学検出装置１１が生成した検出信号Ｚから利用者の生体情報を特定する。
【００１４】
図１に例示される通り、光学検出装置１１は、照明装置１１２と受光装置１１４とを具備する。照明装置１１２は、測定部位Ｍ（照射対象の例示）に光を照射する発光装置である。本実施形態の照明装置１１２は、近赤外光（波長：１０００ｎｍ〜１３００ｎｍ）を出射する。
【００１５】
図２は、照明装置１１２のブロック図である。図２に例示される通り、照明装置１１２は、光源部２０と光源制御部３０とを具備する。光源部２０は、近赤外光を出射する発光源である。本実施形態の光源部２０は、近赤外光のうち所定の波長の範囲（以下「照射波長域」という）の光Ｌを測定部位Ｍに照射する。本実施形態では、例えば照射波長域１０００ｎｍ〜１３００ｎｍの光Ｌが光源部２０により照射される。具体的には、光源部２０は、相互に直列に接続され、相異なる波長域の光を出射する複数の発光部を含む。本実施形態の光源部２０は、図２に例示される通り、第１発光部２１（特定の発光部の一例）と第２発光部２２と第３発光部２３とを含む。ＬＥＤ（Light Emitting Diode）等の発光素子が発光部として好適に利用され得る。
【００１６】
図３は、第１発光部２１、第２発光部２２および第３発光部２３の各々が出射する光の分光特性を示す説明図である。第１発光部２１は、照射波長域のうち第１波長域Ｗ1の光Ｌ1を出射し、第２発光部２２は、照射波長域のうち第１波長域Ｗ1とは異なる第２波長域Ｗ2の光Ｌ2を出射し、第３発光部２３は、照射波長域のうち第１波長域Ｗ1および第２波長域Ｗ2とは異なる第３波長域Ｗ3の光Ｌ3を出射する。本実施形態では、第１波長域Ｗ1は、例えば１０００ｎｍ〜１１５０ｎｍであり、第２波長域Ｗ2は、例えば１１００ｎｍ〜１２５０ｎｍであり、第３波長域Ｗ3は、例えば１２００ｎｍ〜１３００ｎｍである。つまり、第１波長域Ｗ1は、複数の発光部（２１，２２および２３）がそれぞれ出射する光Ｌの複数の波長域（Ｗ1，Ｗ2およびＷ3）のうち、最も短波長側に位置する。複数の発光部は、同時に光を出射する。照明装置１１２から出射した光Ｌ（Ｌ1，Ｌ2およびＬ3）は、測定部位Ｍを通過して受光装置１１４に到達する。なお、波長域が異なるとは、波長域の全体が相互に重複しない場合だけでなく、図３に例示するように波長域の一部が相互に重複する場合も含む。
【００１７】
ここで、発光効率（供給電流と発光強度との関係）は複数の発光部間で相違し得る。したがって、各発光部の発光強度（例えばスペクトルの極大値）Ｓは、同じ電流値の電流を供給した場合でも発光部毎に相違する。本実施形態では、図３に例示される通り、複数の発光部のうち第１発光部２１の発光強度Ｓ1が最大であり、第２発光部２２の発光強度Ｓ2と第３発光部２３の発光強度Ｓ3とは同程度である。なお、第２発光部２２の発光強度Ｓ2と第３発光部２３の発光強度Ｓ3とが相違してもよい。
【００１８】
照明装置１１２から出射した光Ｌは、測定部位Ｍを通過して図１の受光装置１１４に到達する。受光装置１１４は、照明装置１１２から出射して照射対象（測定部位Ｍ）を通過した光Ｌの受光強度に応じた検出信号Ｚを生成する。受光装置１１４は、光電変換層がＩｎＧａＡｓ（インジウムガリウム砒素）で形成された受光素子を含んで構成され、照明装置１１２が出射する近赤外光を受光可能である。本実施形態の光学検出装置１１は、照明装置１１２と受光装置１１４とが測定部位Ｍからみて一方側に位置する反射型の光学センサーモジュールである。
【００１９】
図１の情報処理装置１３は、光学検出装置１１が生成した検出信号Ｚから生体情報を特定し、当該生体情報を利用者に提供するための機器である。本実施形態の情報処理装置１３は、特定部１３２と表示部１３４とを具備する。特定部１３２は、検出信号Ｚから生体情報（血糖値）を特定する。具体的には、特定部１３２は、検出信号Ｚから吸光スペクトルを生成し、当該吸光スペクトルから血糖値を特定する。吸光スペクトルを利用した血糖値の特定には、例えば重回帰分析法等の公知の技術が任意に利用され得る。ＰＬＳ（Partial Least Squares）回帰分析法および独立成分分析法等が重回帰分析法として例示される。表示部１３４（例えば液晶表示パネル）は、特定部１３２が特定した血糖値を表示する。
【００２０】
図４は、照明装置１１２の回路図である。図２および図４の光源制御部３０は、光源部２０の発光強度を制御する。具体的には、光源部２０に含まれる各発光部から測定部位Ｍに照射される光の強度が目標の強度（以下「目標強度」という）に安定的に維持されるように、光源制御部３０は光源部２０を制御する。概略的には、光源制御部３０は、光源部２０に含まれる複数の発光部のうちいずれかの出射光の一部を抽出し、当該抽出した光の強度に応じて、光源部２０に供給される電流Ｉを制御する。図２および図４に例示される通り、光源制御部３０は、抽出部３１１と受光部３１３と給電部３１５とを具備する。
【００２１】
抽出部３１１は、光源部２０に含まれる複数の発光部のうちの第１発光部２１が出射する光Ｌ1の一部を抽出する。例えば、ビームスプリッターやダイクロイックミラー等の反射素子が抽出部３１１として好適に利用される。本実施形態では、複数の発光部のうち発光強度Ｓが最大の第１発光部２１が出射した光Ｌ1の一部（光Ｌ1A）を抽出部３１１により抽出する一方で、光Ｌ1のうち抽出部３１１が抽出した光Ｌ1A以外の光Ｌ1Bを測定部位Ｍに照射させる。具体的には、抽出部３１１は、第１発光部２１が出射した光Ｌ1のうち一部の光Ｌ1Aを反射し、第１発光部２１が出射した光Ｌ1のうち光Ｌ1A以外の光Ｌ1Bを透過させる。すなわち、第１波長域Ｗ1の光Ｌ1Bと、第２波長域Ｗ2の光Ｌ2と、第３波長域Ｗ3の光Ｌ3とが測定部位Ｍに照射される。光源制御部３０は、光Ｌ1Bの強度Ｓ1Bと第２発光部２２の発光強度Ｓ2と第３発光部２３の発光強度Ｓ3とが目標強度になるように光源部２０を制御する。
【００２２】
ここで、生体情報を高精度に特定するためには、測定部位Ｍに照射される光Ｌ（Ｌ1B，Ｌ2およびＬ3）の分光特性を照射波長域内で平坦化したいという実情がある。そこで、本実施形態の抽出部３１１は、図３に例示される通り、光Ｌ1のうち抽出部３１１が抽出した光Ｌ1A以外の光Ｌ1Bが所望の強度になるように、光Ｌ1の一部（光Ｌ1A）を抽出する。本実施形態の抽出部３１１は、光Ｌ1Bの強度Ｓ1Bが第２発光部２２の発光強度Ｓ2または第３発光部２３の発光強度Ｓ3に近づくように光Ｌ1の一部（光Ｌ1A）を抽出する。具体的には、光Ｌ1Bの強度Ｓ1Bが第２発光部２２の発光強度Ｓ2または第３発光部２３の発光強度Ｓ3に近づくように（典型的には一致するように）、抽出部３１１の反射率が設定される。以上の説明から理解される通り、光源部２０が出射する光Ｌ（Ｌ1，Ｌ2およびＬ3）のうち、抽出部３１１により抽出される光Ｌ1A以外の光Ｌ（Ｌ1B，Ｌ2およびＬ3）の強度を均一にすることができる。したがって、測定部位Ｍに照射される光Ｌの分光特性を照射波長域内で平坦化することが可能である。抽出部３１１を透過した光Ｌ1Bは、測定部位Ｍに到達する。一方で、抽出部３１１で反射した光Ｌ1Aは、受光部３１３に入射する。
【００２３】
図４の受光部３１３は、抽出部３１１が抽出した光Ｌ1Aを受光する。例えば第１波長域Ｗ1（１０００ｎｍ〜１１００ｎｍ）に高い感度を示すシリコン（Ｓｉ）等の半導体材料で光電変換層が形成された受光素子が受光部３１３として好適に利用される。なお、シリコンの受光感度の上限は、約１１００ｎｍである。
【００２４】
図２および図４の給電部３１５は、受光部３１３が受光した光Ｌ1Aの受光強度に応じて、光源部２０に供給される電流Ｉを制御する。具体的には、給電部３１５は、受光部３１３が受光した光Ｌ1Aの受光強度（つまり抽出部３１１で抽出される光Ｌ1Aの強度）が所定の強度（以下「調整値」という）になるように電流Ｉを制御する。調整値は、光Ｌ1Aの受光強度が調整値に制御された状態において、光Ｌ1Bの強度Ｓ1Bが目標強度に略一致するように設定される。すなわち、受光部３１３が受光した光Ｌ1Aが調整値になるように電流Ｉを制御することで、第１発光部２１から測定部位Ｍに照射される光Ｌ1Bの強度を目標強度にすることができる。光Ｌ1Bの強度を目標強度とする電流Ｉの供給により、第２発光部２２の発光強度Ｓ2および第３発光部２３の発光強度Ｓ3は目標強度に設定される。
【００２５】
本実施形態の給電部３１５は、検出部５２と制御部５４とを具備する。検出部５２は、受光部３１３が受光した光Ｌ1Aの受光強度に応じた電圧Ｖdを生成する。図４に例示される通り、検出部５２は、電流/電圧変換部５２２と電圧増幅部５２４とを具備する。電流/電圧変換部５２２は、例えば演算増幅器７２と容量素子７４と抵抗素子７６とで構成されるトランスインピーダンスアンプであり、電流を電圧に変換する。具体的には、電流/電圧変換部５２２は、抽出部３１１が抽出した光Ｌ1Aの受光強度に応じて受光部３１３に発生する電流を電圧Ｖaに変換する。電圧増幅部５２４は、例えば演算増幅器８２と３つの抵抗素子（８４，８６および８８）とを具備するアンプである。電圧増幅部５２４は、電流/電圧変換部５２２が生成した電圧Ｖaを増幅して電圧Ｖdを生成する。
【００２６】
制御部５４は、光源部２０に供給される電流Ｉを制御する。具体的には、制御部５４は、検出部５２が生成した電圧Ｖdに応じて、光源部２０に電流Ｉを供給する。図４に例示される通り、制御部５４は、比較部５４２と基準電圧発生部５４４と供給部５４６とを具備する。比較部５４２は、検出部５２が生成した電圧Ｖdと基準電圧Ｖrefとを比較する比較器である。基準電圧Ｖrefは、基準電圧発生部５４４により比較器５４２に供給される。基準電圧Ｖrefは、光Ｌ1Aの調整値に応じて設定される。本実施形態の比較部５４２は、電圧Ｖdと基準電圧Ｖrefとの比較結果に応じて変動する制御電圧Ｖcを生成する。制御電圧Ｖcは、電圧Ｖdが基準電圧Ｖrefを上回るほど低下する一方で、電圧Ｖdが基準電圧Ｖrefを下回るほど上昇する。なお、基準電圧Ｖrefは可変である。
【００２７】
図４の供給部５４６は、比較部５４２が生成した制御電圧Ｖcに応じた電流Ｉを光源部２０に対して供給する。本実施形態の供給部５４６は、図４に例示される通り、光源部２０に対する電流Ｉの供給を制御するスイッチ（例えばトランジスター）４６１と、電池等の電源４６３とを含んで構成される。電源４６３から光源部２０に供給される電流Ｉの経路上にスイッチ４６１が設置される。本実施形態のスイッチ４６１の抵抗値は、制御電圧Ｖcに応じて変化する。具体的には、スイッチ４６１は、制御電圧Ｖcが高いほど抵抗値が低下する一方で、制御電圧Ｖcが低いほど抵抗値が増大する。つまり、制御電圧Ｖcが高いほど光源部２０に供給される電流Ｉは大きくなり、制御電圧Ｖcが小さいほど光源部２０に供給される電流Ｉは小さくなる。すなわち、光Ｌ1Aの強度が調整値に近づくような電流Ｉが光源部２０に供給される。
【００２８】
以上の説明から理解される通り、光源部２０に供給される電流Ｉは、抽出部３１１で抽出される光Ｌ1Aの強度が調整値になるように制御される。すなわち、第１発光部２１から測定部位Ｍに照射される光Ｌ1Bの強度を目標強度にすることができる。ひいては、第２発光部２２の発光強度Ｓ2および第３発光部２３の発光強度Ｓ3が目標強度に設定される。
【００２９】
光源部２０に供給される電流Ｉを制御する本実施形態の作用を説明するために、電源から一定の電流値の電流を光源部に供給する（つまり光源部に供給される電流が制御されない）構成を対比例として説明する。図５は、各発光部から測定部位Ｍに照射される光の強度（目標強度を１００％としたときの相対値）と、電流Ｉの供給開始時点から経過した時間との関係を、本実施形態の構成および対比例の各々について示すグラフである。ここで、発光源として利用される発光部から測定部位Ｍに照射される光は、発光部自身の温度や環境温度の影響により、目標強度に安定的に維持されるまで所定の時間を要する。図５に例示される通り、発光部から測定部位Ｍに照射される光の強度が目標強度になるように光源部２０に供給される電流Ｉをフィードバック制御する本実施形態の構成によれば、対比例と比較して、発光部の発光強度が目標強度に安定するまでの時間を短縮することが可能になる。
【００３０】
本実施形態では特に、複数の発光部のうち特定の発光部（第１発光部２１）が出射した光Ｌ1の一部（光Ｌ1A）を受光部３１３が受光し、当該受光した光Ｌ1Aの強度に応じて光源部２０に供給される電流Ｉが制御される。したがって、本実施形態の構成によれば、発光部の出射光の一部を抽出および受光する要素を発光部毎に個別に設けて、各受光部が受光した光の強度に応じて光源部に供給される電流を制御する構成と比較して、複数の発光部の発光強度を制御するために必要な構成を小型化することが可能である。
【００３１】
＜変形例＞
以上に例示した形態は多様に変形され得る。具体的な変形の態様を以下に例示する。以下の例示から任意に選択された２以上の態様を適宜に併合することも可能である。
【００３２】
（１）前述の形態では、光源部２０を３個の発光部で構成したが、光源部２０に含まれる発光部の個数は以上の例示に限定されない。例えば光源部２０に含まれる発光部の個数が３個以上または２個の構成も採用され得る。発光部の個数が複数（２個以上）の構成であれば、発光部の個数に関わらず、複数の発光部の発光強度を制御するために必要な構成を小型化できる、という効果は実現される。
【００３３】
（２）前述の形態では、光源部２０は近赤外光を出射したが、光源部２０が出射する光Ｌの波長域は以上の例示に限定されない。例えば、近赤外光の波長域に重複しない光を光源部２０が出射する構成、または、近赤外光の波長域の一部と重複する光を出射する構成も採用され得る。ただし、光源部２０が近赤外光を出射する前述の形態によれば、光源部２０からの出射光Ｌが測定部位Ｍ内の生体組織を通過するから、生体情報の測定に好適である。
【００３４】
（３）前述の形態では、複数の発光部のうち第１発光部２１の発光強度Ｓ1が最大であったが、各発光部の発光強度Ｓの大小の関係は以上の例示に限定されない。例えば、複数の発光部のうち第２発光部２２または第３発光部２３の発光強度Ｓが最大である構成も採用され得る。ただし、複数の発光部のうち、受光部３１３の受光対象となる光を出射する第１発光部２１の発光強度Ｓ1が最大である前述の形態によれば、例えば複数の発光部のうち第１発光部２１の発光強度Ｓ1が最小の構成と比較して、第１発光部２１が出射した光のうち受光部３１３が受光した以外の光Ｌ1Bの強度Ｓ1Bと他の複数の発光部の発光強度（Ｓ2およびＳ3）との差分を小さくすることが可能である。
【００３５】
（４）前述の形態では、第１発光部２１が出射した光Ｌ1のうち抽出部３１１が抽出した光Ｌ1A以外の光Ｌ1Bの強度Ｓ1Bが第２発光部２２の発光強度Ｓ2または第３発光部２３の発光強度Ｓ3に近づくように光Ｌ1の一部（光Ｌ1A）を抽出したが、抽出部３１１が光Ｌ1から抽出する光Ｌ1Aの比率（すなわち抽出部３１１の反射率）は以上の例示に限定されない。例えば、光Ｌ1Bの強度Ｓ1Bが第２発光部２２および第３発光部２３の発光強度とは相違する発光強度になるように光Ｌ1の一部を抽出することも可能である。ただし、光Ｌ1Bの強度Ｓ1Bが第２発光部２２の発光強度Ｓ2または第３発光部２３の発光強度Ｓ3に近づくように光Ｌ1の一部を抽出する前述の形態によれば、光源部２０が出射する光Ｌ（Ｌ1，Ｌ2およびＬ3）のうち、抽出部３１１により抽出される光Ｌ1A以外の光Ｌ（Ｌ1B，Ｌ2およびＬ3）の強度を均一にすることができる。したがって、測定部位Ｍに照射される光Ｌの分光特性を照射波長域内で平坦化することが可能である。ひいては、高精度に生体情報を測定することが可能である。
【００３６】
（５）前述の形態では、照射波長域内で最も短波長側に位置する第１波長域Ｗ1の光Ｌ1Bを受光部３１３により受光したが、電流Ｉの制御に利用される光は、短波長側の光に限定されない。例えば、第２波長域Ｗ2の光Ｌ2や第３波長域Ｗ3の光Ｌ3の一部を抽出部３１１により抽出して電流Ｉの制御に利用することも可能である。ただし、照射波長域内で最も短波長側に位置する第１波長域Ｗ1の光Ｌ1Bを受光部３１３により受光する前述の形態によれば、受光感度が短波長側にある受光部３１３を使用することができるという利点がある。例えば、安価なシリコンで光電変換層が形成された受光素子を受光部３１３として使用することができる。
【００３７】
（６）前述の形態では、複数の発光部のうち１つの発光部（第１発光部２１）が出射する光を利用して光源部２０に供給される電流Ｉを制御する構成を例示したが、電流Ｉの制御に利用される光は、１つの発光部から出射された光に限定されない。例えば、複数の発光部のうち２つの発光部（例えば第１発光部２１および第２発光部２２）が出射する光に応じて光源部２０に供給される電流Ｉを制御する構成も採用され得る。以上の構成では、図６に例示される通り、第１発光部２１が出射する光Ｌ1の一部（光Ｌ1A）を抽出する抽出部３１１と、第２発光部２２が出射する光Ｌ2の一部（光Ｌ2A）を抽出する抽出部３１７と、抽出部３１１が抽出した光Ｌ1Aを受光する受光部３１３と、抽出部３１７が抽出した光Ｌ2Aを受光する受光部３１９とを具備する。給電部３１５は、受光部３１３が受光した光Ｌ1Aの強度と受光部３１９が受光した光Ｌ2Aの強度とに応じて、光源部２０（第１発光部２１，第２発光部２２および第３発光部２３）に供給される電流Ｉを制御する。抽出部３１１が抽出した光Ｌ1A以外の光Ｌ1Bと、抽出部３１７が抽出した光Ｌ2A以外の光Ｌ2Bと、第３発光部２３からの出射光Ｌ3とが測定部位Ｍに照射される。以上の構成においても、複数の発光部の発光強度を制御するために必要な構成を小型化できる、という効果が実現される。ただし、複数の発光部のうち１つの発光部が出射する光を利用して光源部２０に供給される電流Ｉを制御する前述の形態によれば、複数の発光部の発光強度を制御するために必要な構成を小型化するという効果はより顕著となる。なお、図６の構成においては、抽出部３１７が抽出した光Ｌ2Aを受光部３１３で受光することも可能である。つまり、受光部３１９は、省略され得る。
【００３８】
（７）前述の形態では、生体情報測定装置１００は生体情報の表示をしたが、生体情報測定装置１００において生体情報の表示は必須ではない。例えば、生体情報測定装置１００と通信可能な端末装置（例えばスマートフォン）に特定した生体情報を送信して、端末装置の表示部１３４で生体情報を表示することも可能である。つまり、生体情報測定装置１００において表示部１３４は、省略され得る。また、特定部１３２および表示部１３４の一方または双方を端末装置に設けた構成（例えば端末装置で実行されるアプリケーションで実現される構成）も採用され得る。以上の説明から理解される通り、生体情報測定装置１００は、相互に別体で構成された複数の装置でも実現され得る。
【００３９】
（８）本発明は、照明装置の制御方法としても特定され得る。具体的には、本発明の好適な態様の制御方法は、相互に直列に接続され、相異なる波長域の光を出射する複数の発光部を含む光源部を制御する制御方法であって、複数の発光部のうち特定の発光部が出射する光の一部を抽出し、抽出した光を受光し、受光した光の受光強度に応じて、光源部に供給される電流を制御する。
【符号の説明】
【００４０】
１００…生体情報測定装置、１１…光学検出装置、１３…情報処理装置、１１２…照明装置、１１４…受光装置、１３２…特定部、１３４…表示部、２０…光源部、２１…第１発光部、２２…第２発光部、２３…第３発光部、３０…光源制御部、３１１，３１７…抽出部、３１３，３１９…受光部、３１５…給電部、５２…検出部、５４…制御部、５２２…電圧変換部、５２４…電圧増幅部、５４２…比較器、５４２…比較部、５４４…基準電圧発生部、５４６…供給部、４６１…スイッチ、４６３…電源、７２…演算増幅器、７４…容量素子、７６…抵抗素子、８２…演算増幅器、８４，８６，８８…抵抗素子。
【図１】
2018198169.tif 000003
【図２】
2018198169.tif 000004
【図３】
2018198169.tif 000005
【図４】
2018198169.tif 000006
【図５】
2018198169.tif 000007
【図６】
2018198169.tif 000008